(57)【要約】【課題】床面の清掃、特にフローリング床面に形成された目地溝内に貯留した塵埃等の清掃に好適な粘着式クリーナーを提供する。【解決手段】テープローラーＴは、基板シート１、該基板シート１の上面に塗布された接着材２、ジェル状体３及びジェル状体３の乾燥を防止する乾燥防止シート４からなり、切り取り用のミシン目５が、乾燥防止シート４から基板シート１まで刻設されている。【選択図】図２
0003126405.tif 000002
【実用新案登録請求の範囲】
【請求項１】
粘着材テープの粘着面が表面側になるよう多重に巻回され、円筒状粘着テープローラーを回転可能に軸支し、該円筒状粘着テープローラーを床面上にて回転させることにより、床面上に付着した塵埃等を粘着材テープの粘着面で捕捉する粘着式クリーナーにおいて、
上面に接着材を塗布した基板シート上にジェル状体を伸展して貼着し、該ジェル状体の上面に乾燥防止シートを剥離可能に付着した、三層構造のテープローラーとし、
前記、基板シート、ジェル状体及び乾燥防止シートには、切り取り用のミシン目が刻設されていることを特徴とする、粘着式クリーナー。
【請求項２】
ジェル状体の上下に乾燥防止シートを貼付し、下段の乾燥防止シートの下面に基板シートを貼着した、四層構造のテープローラーとし、
前記、基板シート、ジェル状体及び乾燥防止シートには、切り取り用のミシン目が刻設されていることを特徴とする、粘着式クリーナー。
【請求項３】
前記基板シートに貼着されるジェル状体の厚さが、少なくとも約１ｍｍ〜２ｍｍであることを特徴とする、請求項１〜請求項２の何れかに記載の粘着式クリーナー。
【請求項４】
前記ジェル状体が、シリコン樹脂、フッ素樹脂、澱粉糊、合成ゴム糊、アクリル樹脂糊又は合成樹脂糊であることを特徴とする、請求項１〜請求項３の何れかに記載の粘着式クリーナー。
【請求項５】
前記基板シートの素材が、ポリエチレン、ポリエステル、軟質アルミ箔又はクラフト紙であることを特徴とする、請求項１〜請求項４に記載の粘着式クリーナー。
【請求項６】
前記乾燥防止シートの素材が、汎用プラスチックのポリプロピレン、ポリエチレン、ナイロン系樹脂、ポリエステル、又はポリ塩化ビニリデンであることを特徴とする、請求項１〜請求項５の何れかに記載の粘着式クリーナー。
【考案の詳細な説明】
【技術分野】
【０００１】  本考案は、粘着式クリーナーに関し、より詳しくは、床面の清掃、特にフローリング床面に形成された目地溝内に貯留した塵埃等の清掃に好適な粘着式クリーナーに関する。
【背景技術】
【０００２】  近年、生活様式の変化に伴い、またその意匠性、衛生的見地から、居室をフローリング床材とする住宅が増加している。カーペットやフローリング床等の塵埃、毛髪等の清掃に簡便な掃除具として、各種の粘着式クリーナーが提案されている。例えば特開２００５−１３６４２、特開２０００−３１５７８、登録実用新案３０８１５１２等がある。この種のクリーナーは、粘着材テープの粘着面が表面側になるよう多重に巻回され、円筒状粘着テープローラーを回転可能に軸支し、該円筒状粘着テープローラーを床面上にて回転させることにより、床面上に付着した塵埃を粘着材テープの粘着面で捕捉するようになっている。【０００３】  上記の特開２００５−１３６４２、特開２０００−３１５７８は、カーペット、絨毯や畳等の被清掃面上に付着した塵埃や毛髪等を捕捉するのには問題ないが、例えばフローリング床においては、粘着材テープの粘着面がフローリング床に形成されている目地溝内の塵埃や毛髪等に当接できないので、目地溝内は清掃できない。そのために目地溝内に、ダニ、害虫やカビ等の発生の原因ともなり、非衛生的な生活環境となる。この問題を解消するためには、電気掃除機による清掃しか方法がなかった。【０００４】  登録実用新案３０８１５１２は、柄の先端に、プラスチック樹脂又は金属からなる支持体と清拭ロールを回転自在に取り付け、該清拭ロールは円筒の表面に粘土層を設けたことを特徴とし、フローリングの床やプラスチックタイル、あるいはじゅうたん等のホコリ、ゴミ、ガラスの破片等の清拭に有効としているが、清拭ロールは粘土層とし、その表面は経時的に乾燥するので、粘着力は弱化し、床面の清拭作業は不十分な結果となることが容易に推測できる。
【特許文献１】特開２００５−１３６４２号公報
【特許文献２】特開２０００−３１５７８号公報
【特許文献３】登録実用新案３０８１５１２号公報
【考案の開示】
【考案が解決しようとする課題】
【０００５】  本考案の課題は、床面の清掃、特にフローリング床面に形成された目地溝内に貯留した塵埃や毛髪等の清掃に好適な粘着式クリーナーを提供することにある。
【課題を解決するための手段】
【０００６】  本考案者は、上記従来技術が有する各種の問題点に鑑み、その解決手段について鋭意検討を重ねて、本考案を完成させたものである。課題を解決するための手段は、本願、実用新案登録請求の範囲の各請求項に記載の考案であり、その具体的な解決手段は、以下の通りである。【０００７】課題を解決するための第１の考案は、請求項１に記載の考案であり、粘着材テープの粘着面が表面側になるよう多重に巻回され、円筒状粘着テープローラーを回転可能に軸支し、該円筒状粘着テープローラーを床面上にて回転させることにより、床面上に付着した塵埃等を粘着材テープの粘着面で捕捉する粘着式クリーナーにおいて、上面に接着材を塗布した基板シート上にジェル状体を伸展して貼着し、該ジェル状体の上面に乾燥防止シートを剥離可能に付着した、三層構造のテープローラーとし、前記、基板シート、ジェル状体及び乾燥防止シートには、切り取り用のミシン目が刻設されていることを特徴としている。【０００８】    課題を解決するための第２の考案は、請求項２に記載の考案であり、ジェル状体の上下に乾燥防止シートを貼付し、下段の乾燥防止シートの下面に基板シートを貼着した、四層構造のテープローラーとし、前記、基板シート、ジェル状体及び乾燥防止シートには、切り取り用のミシン目が刻設されていることを特徴としている。【０００９】  課題を解決するための第３の考案は、請求項３に記載の考案であり、前記基板シートに貼着されるジェル状体の厚さが、少なくとも約１ｍｍ〜２ｍｍであることを特徴としている。【００１０】  課題を解決するための第４の考案は、請求項４に記載の考案であり、前記ジェル状体が、シリコン樹脂、フッ素樹脂、澱粉糊、合成ゴム糊、アクリル樹脂糊又は合成樹脂糊であることを特徴としている。【００１１】  課題を解決するための第５の考案は、請求項５に記載の考案であり、前記基板シートの素材が、ポリエチレン、ポリエステル、軟質アルミ箔又はクラフト紙であることを特徴としている。【００１２】  課題を解決するための第６の考案は、請求項６に記載の考案であり、前記乾燥防止シートの素材が、汎用プラスチックのポリプロピレン、ポリエチレン、ナイロン系樹脂、ポリエステル、又はポリ塩化ビニリデンであることを特徴としている。
【考案の効果】
【００１３】  本考案に係る、粘着式クリーナーは、上記の構成になるから以下の効果を奏する。請求項１〜請求項６の考案によれば、本考案は、上面に接着材を塗布した基板シート上にジェル状体を伸展して貼着し、該ジェル状体の上面に乾燥防止シートを剥離可能に付着した、三層構造のテープローラーとし、前記、基板シート、ジェル状体及び乾燥防止シートには、切り取り用のミシン目が刻設されているので、ハンドルを介してテープローラーを、長方形状のフローリング床面上で前後左右方向に回転させると、ジェル状体の付着力により、当該フローリング床面はもちろん、長手方向及び長手方向と直交方向に形成された目地溝内に貯留した塵埃や毛髪等はジェル状体に付着され目地溝内は清掃される。
【考案を実施するための最良の形態】
【００１４】  以下、本考案に係る、粘着式クリーナーに関する最良の実施形態について、図面を参照しながら説明する。図１は、粘着式クリーナー（以下、クリーナーＣという）の斜視図、図２は、テープローラーの構成を示す拡大断面図、図３は、テープローラーの他の実施態様における構成を示す拡大断面図、図４は、クリーナーＣをフローリング床材で使用した状態を示す一部省略正面図である。【００１５】  図１に示すように、クリーナーＣは、ハンドルＨ、クランク軸Ｇ及びテープローラーＴを主な構成部材とし、クランク軸Ｇの先端は支持体Ｓに挿通され、テープローラーＴは、支持体Ｓに前後の回転可能に装着されている。【００１６】  図２は、三層構造からなるテープローラーＴにおける第１層Ｔ１と第２層Ｔ２の構成を示し、１は基板シートで、その素材は、ポリエチレン、ポリエステル、軟質アルミ箔又はクラフト紙の中から選択され、２は基板シートの上面に塗布された接着材で、３はシリコン樹脂、フッ素樹脂、澱粉糊、合成ゴム糊、アクリル樹脂糊又は合成樹脂糊から選ばれたジェル状体で、該ジェル状体３の上面には乾燥防止シート４が剥離可能に付着されている。乾燥防止シート４の素材となるのは、汎用プラスチックのポリプロピレン、ポリエチレンか、又はナイロン系樹脂、ポリエステル、ポリ塩化ビニリデンである。また５は切り取り用のミシン目で、乾燥防止シート４から基板シート１まで刻設されている。【００１７】  図３は、四層構造からなるテープローラーＴ１０における第１層Ｔ３と第２層Ｔ４の構成を示し、１１は基板シート、１２は接着材、１３及び１５は、乾燥防止シート、１４はジェル状体、１６は切り取り用のミシン目で、乾燥防止シート１５から基板シート１１まで刻設されている。各素材は、三層構造からなるテープローラーＴと同様である。【００１８】  図４は、クリーナーＣをフローリング床材で使用している状態を示すもので、Ａ及びＢは、木質系のフローリング床材、Ｆは基礎である。図示するように、フローリング床材Ａ及びＢ．・・・を基礎Ｆにフローリング施工するには、基礎Ｆに接着剤を塗布した後、フローリング床材Ａの一側端に形成された凸部Ａ１を、フローリング床材Ｂの他側端に形成された凹部Ｂ１に嵌合し接着剤で固定する。これにより、フローリング床材ＡとＢ．の嵌合部には目地溝Ｍが形成され、該目地溝Ｍ内に塵埃等Ｄが貯留される。【００１９】  目地溝Ｍ内の塵埃等Ｄを清掃するのには、テープローラーＴを目地溝Ｍに押圧しながらこれに沿うように、又は目地溝Ｍに直交するように前後に繰り返し回転すれば、ジェル状体３の当接部が目地溝Ｍ内に侵入し、目地溝Ｍ内の塵埃等Ｄは、ジェル状体３の付着力で捕捉される。ジェル状体３の付着力が弱くなったら、基板シート１の端部を指先等で捲りあげ、切り取り用のミシン目５でジェル状体３と共にこれを切り取ってゴミ箱等に投棄する。フローリング床材Ａ、Ｂ等の清掃が終了後、使用したクリーナーＣのテープローラーＴ部分は、カバー（図示しない）内に収納される。
【図面の簡単な説明】
【００２０】
【図１】は、本考案に係る、クリーナーＣの斜視図である。
【図２】は、テープローラーの構成を示す拡大断面図である。
【図３】は、テープローラーの他の実施態様における構成を示す拡大断面図である。
【図４】は、クリーナーＣをフローリング床材で使用した状態を示す一部省略正面図である。
【符号の説明】
【００２１】Ｃ                    クリーナー
Ｔ、１０              テープローラー
Ｔ１、Ｔ３            第１層
Ｔ２、Ｔ４            第２層
１、１１              基板シート
２、１２              接着材
３、１４              ジェル状体
４、１３、１５        乾燥防止シート
５、１６              ミシン目
Ａ、Ｂ                フローリング床材
Ｍ                    目地溝
【図１】
0003126405.tif 000003
【図２】
0003126405.tif 000004
【図３】
0003126405.tif 000005
【図４】
0003126405.tif 000006